(57)【要約】【課題】便座に腰掛けた状態で小用を足す場合に、小水が外部に飛び出すことを防止するようにした小水漏れ防止具及び小水漏れ防止機能付き洋式トイレ用便座を提供するものである。【解決手段】開口部１２ａと内部空間１２ｃとを有する容器状の小水受け部１２を取付手段１４によって便座２８の最前部に取付ける。小水受け部１２を便座２８に取付けた状態では、開口部１２ａと内部空間１２ｃは便座２８の中央位置に向いた位置に配置される。これにより、便座２８に越し掛けて小用を足す場合には、便器本体２４の上端から上位に小水受け部１２が位置するので、小水が便器本体２４の外部に漏れることを防止でき、トイレを清潔に保つことができる。【選択図】  図２
2004180898.tif 000002
【特許請求の範囲】
【請求項１】
便器本体と便座とから成る洋式トイレ用便器に取付けるものであって、便器本体から外れて放出される小水を前記便器本体に向けて導くための小水受け部と、その小水受け部を前記便座の最前部又は前記便器本体の最前部に取り付けるための取付手段とを有することを特徴とする小水漏れ防止具。
【請求項２】
前記取付手段が前記便座又は前記便器本体に着脱自在としたことを特徴とする請求項１記載の小水漏れ防止具。
【請求項３】
前記取付手段が前記便座又は前記便器本体を挟持する弾性を有する素材からなる少なくとも一対の保持腕としたことを特徴とする請求項２記載の小水漏れ防止具。
【請求項４】
前記小水受け部が内部空間と前記便座の中心側に向けて開口したその内部空間の開口部とを有する容器形状とすることを特徴とする請求項１又は請求項２記載の小水漏れ防止具。
【請求項５】
前記開口部にその下方に伸びる垂れ部を形成し、便座を前記便器本体に接触させた際に前記垂れ部の下側先端が前記便器本体の上縁と同一の高さかそれより下位に位置するようにしたことを特徴とする請求項４記載の小水漏れ防止具。
【請求項６】
前記垂れ部の両側にその垂れ部より直角方向に伸びるガイドを備えたことを特徴とする請求項５記載の小水漏れ防止具。
【請求項７】
前記小水受け部又は前記取付手段に脱衣を保持するための脱衣保持部を設けることを特徴とする請求項１乃至請求項６記載の小水漏れ防止具。
【請求項８】
洋式トイレ用便器本体に取付けられる洋式トイレ用便座であって、便器本体から外れて放出される小水を前記便器本体に向けて導くための小水受け部を一体に形成したことを特徴とする小水漏れ防止機能付き洋式トイレ用便座。
【請求項９】
前記小水受け部が内部空間と便座の中心側に向けて開口した開口部とを有する容器形状とすることを特徴とする請求項８記載の小水漏れ防止機能付き洋式トイレ用便座。
【請求項１０】
前記開口部にその下方に伸びる垂れ部を形成し、便座を前記便器本体に接触させた際に前記垂れ部の下側先端が前記便器本体の上縁と同一の高さかそれより下位に位置するようにしたことを特徴とする請求項９記載の小水漏れ防止機能付き洋式トイレ用便座。
【請求項１１】
前記垂れ部の両側にその垂れ部より直角方向に伸びるガイドを備えたことを特徴とする請求項１０記載の小水漏れ防止機能付き洋式トイレ用便座。
【請求項１２】
前記小水受け部又は前記便座に脱衣を保持するための脱衣保持部を設けることを特徴とする請求項８乃至請求項１１記載の小水漏れ防止機能付き洋式トイレ用便座。
【発明の詳細な説明】
【０００１】
【発明の属する技術分野】
この発明は、便座を利用する場合に小水が便器本体の外部に漏れることを防止するための小水漏れ防止具及び小水漏れ防止機能付き洋式トイレ用便座に関する。
【０００２】
【従来の技術】
従来の洋式トイレ用便器は、便座と便器本体とを有するものである。この洋式トイレ用便器では、便座に腰掛けた状態で小用も足すことができる（例えば、特許文献１参照）。
【０００３】
【特許文献１】
特開平７−３１３３９８号公報（第２頁、第１図、第６図）
【０００４】
【発明が解決しようとする課題】
便座に腰掛けた状態で小用を足す場合には、便器本体に小水用のガイドが無いため、便器本体から小水が飛び出してトイレの床面を汚すおそれがあり、次の利用者が利用しにくくなるという問題があった。また、小水が便器本体から飛び出すのを防止するために、体をやや前屈みにしなければならない場合もあった。
【０００５】
本発明は、上述の問題を解決するものであって、便座に腰掛けた状態で小用を足す場合に、小水が外部に飛び出すことを防止するようにした小水漏れ防止具及び小水漏れ防止機能付き洋式トイレ用便座を提供することを目的とするものである。
【０００６】
【課題を解決するための手段】
本発明の小水漏れ防止具は、便器本体と便座とから成る洋式トイレ用便器に取付けるものであって、便器本体から外れて放出される小水を前記便器本体に向けて導くための小水受け部と、その小水受け部を前記便座の最前部又は前記便器本体の最前部に取り付けるための取付手段とを有するものである。
【０００７】
本発明の小水漏れ防止具は、更に、前記取付手段が前記便座又は前記便器本体に着脱自在としたものである。前記取付手段が前記便座又は前記便器本体を挟持する弾性を有する素材からなる少なくとも一対の保持腕としたものである。前記小水受け部が内部空間と前記便座の中心側に向けて開口したその内部空間の開口部とを有する容器形状とするものである。前記開口部にその下方に伸びる垂れ部を形成し、便座を前記便器本体に接触させた際に前記垂れ部の下側先端が前記便器本体の上縁と同一の高さかそれより下位に位置するようにしたものである。前記小水受け部又は前記取付手段に脱衣を保持するための脱衣保持部を設けるようにしたものである。
【０００８】
本発明の小水漏れ防止機能付き洋式トイレ用便座は、洋式トイレ用便器本体に取付けられる洋式トイレ用便座であって、便器本体から外れて放出される小水を前記便器本体に向けて導くための小水受け部を一体に形成したものである。
【０００９】
本発明の小水漏れ防止機能付き洋式トイレ用便座は、更に、前記小水受け部が内部空間と便座の中心側に向けて開口した開口部とを有する容器形状とするものである。前記開口部にその下方に伸びる垂れ部を形成し、便座を前記便器本体に接触させた際に前記垂れ部の下側先端が前記便器本体の上縁と同一の高さかそれより下位に位置するようにしたものである。前記小水受け部又は前記便座に脱衣を保持するための脱衣保持部を設けるようにしたものである。
【００１０】
【作用】
便座に座って小用を足す場合には、小水漏れ防止具の小水受け部と垂れ部とが利用者の腰の前方に現れる。これらの小水受け部と垂れ部は便器本体の上端を含んでその位置より上位に配置される。便器本体から外れる小水であっても小水受け部や垂れ部に当てることによってその小水は便器本体に導かれるので、小水が便器本体の外部に飛び散ることを防止することができる。
【００１１】
【発明の第一実施形態】
次に、本発明の小水漏れ防止具を図に基づいて説明する。
図１は本発明の小水漏れ防止具を取付けた状態の洋式トイレ用便器を示す平面図、図２は図１のＡ−Ａ線断面図、図３は本発明の小水漏れ防止具の正面図である。小水漏れ防止具１０は、小水受け部１２と、その小水受け部１２を洋式トイレ用便器に取付けるための取付手段１４とを有する。小水受け部１２は、図２に示すように、径大の開口部１２ａと径小の底部１２ｂと内部空間１２ｃを有する容器形状に形成されている。容器形状は、内部空間１２ｃとその開口部１２ａとを有するものであれば、全ての形状のものを含むものとする。この小水受け部１２は、便器本体から外部に飛び出す小水を受けるためのものである。取付手段１４は、前記小水受け部１２の外側にそれと一体に形成される腕部１６と、その腕部１６を係合させる係合穴１８を形成した係合部材２０とから成り、後述する便座に取付けられる。
【００１２】
洋式トイレ用便器２２は、便器本体２４と、裏面にクッション２６を備えた便座２８とから成る。便座２８の形状はＯ形のものとＵ形のものとの２種類のタイプに大別されるが、図１及び図２に示す便座２８はＯ形のものとする。このＯ形の便座２８の最前部（人が便器２２を前にして対向した際の手前側）の上部に、前記係合部材２０を接着剤等の既知の固定手段で固定する。この係合部材２０の係合穴１８に腕部１６を係合することで、小水漏れ防止具１０がＯ形の便座２８に着脱自在に取付けられた状態となる。なお、前記小水受け部１２に、腕部１６と係合部材２０との着脱を容易にするための取手（図示せず）を一体に形成するようにしてもよい。小水漏れ防止具１０が便座２８の最前部に取付けられた状態では、図２に示すように、小水受け部１２の開口部１２ａは便座２８の中心側（又は中心）に向くよう設定される。
【００１３】
前記小水受け部１２の開口部１２ａの外縁の一部には、そこから外側に向けて伸びる板状の垂れ部３０が、小水受け部１２と一体に形成されている。小水漏れ防止具１０を便座２８に取付けた状態においては、垂れ部３０は小水受け部１２から下方に向くように設定される。便座２８（クッション２６）が便器本体２４と接触した状態では、垂れ部３０の先端は便器本体２４の上縁と同じ高さか、それより下位に位置するように設定する。この垂れ部３０は、小水受け部１２の内部空間１２ｃに入った小水が、そこを通って便器本体２４の内部に落下するよう導くためのものである。また、この垂れ部３０は、便座２８と便器本体２４との隙間３２を通って、小水が便器本体２４の外側に飛び出すのを防止するためのものである。垂れ部３０の両横に、垂れ部３０にほぼ直角方向に伸びるガイド３４を設ける。このガイド３４は、垂れ部３０より上方に伸びて小水受け部１２の開口部１２ａの外縁に一部にかかるようにするのが望ましい。
【００１４】
小水漏れ防止具１０を取付けた便座２８に座って小用を足す場合には、小水受け部１２の内部空間１２ｃ側と垂れ部３０とが利用者の腰の前方に現れる。これによって、利用者は、従来と同様に便器本体２４の内部に向けて小用を足しても、小水漏れ防止具１０の小水受け部１２（内部空間１２ｃ）や垂れ部３０に向けて小用を足してもよい。小水受け部１２の内部空間１２ｃに向けて小水を出した場合、小水は小水受け部１２の容器形状の内面に沿って開口部１２ａの下位側に集まり、その後、垂れ部３０を経て便器本体２４の内部に導かれる。また、垂れ部３０に向けて小水を出した場合、垂れ部３０から下方の便器本体２４の内部に導かれるが、垂れ部３０から横に飛び散るおそれのある小水をその両側に備えたガイド３４によって横に飛び散らないように防止する。この垂れ部３０は、利用者の正面の位置にある便座２８と便器本体２４との隙間３２を覆っているので、その隙間３２から小水が便器本体２４の外側に飛び出すのを防止することができる。
【００１５】
小水漏れ防止具１０を便座２８に取付けた状態で、便座２８を便蓋３６側に倒して男子の小用を行うことが可能である。小水漏れ防止具１０では、小水受け部１２の内部に入った小水が速やかに垂れ部３０に移動できるようにすれば、便座２８を便蓋３６側に倒しても小水漏れ防止具１０から小水が落下することはなく、小水漏れ防止具１０を便座２８に取付けたままで、便座２８の上げ下ろしができる。更に、状況に応じて、腕部１６を係合部材２０の係合穴１８から外すことで、小水受け部１２を便座２８から外すことができる。
【００１６】
前記小水漏れ防止具１０に、脱衣を保持するための脱衣保持部３８を設けても良い。図２では、この脱衣保持部３８は係合部材２０に取り付けられているが、小水受け部１２に取付けてもよい。
【００１７】
図２において、取付手段１４は、小水受け部１２に一体に形成した腕部１６と、その腕部１６を係合させる係合穴１８を形成した係合部材２０とから構成するものとしたが、取付手段はこれに限るものではない。取付手段の他の例としては、例えば係合穴１８を形成した係合部材２０を省略して、腕部１６とそれを便座２８に直接固定するための既知の固定手段とから構成しても良い。
【００１８】
【発明の第二実施形態】
次に、本発明の他の実施形態を図４に示す。この実施形態では、小水漏れ防止具１０は、図２に示した取付手段１４とは異なる取付手段４０を備えるものである。取付手段４０は、小水受け部１２の下側に一体に形成した一対の保持腕４２ａ，４２ｂとする。小水受け部１２と一対の保持腕４２ａ，４２ｂを弾性のある素材（例えば弾性のある合成樹脂）で形成する。あるいは、一対の保持腕４２ａ，４２ｂを小水受け部１２とは別体に構成して互いを固定状態にし、一対の保持腕４２ａ，４２ｂを弾性のある素材としても良い。一方の保持腕４２ａはＯ形の便座２８の内側縁に接触し、他方の保持腕４２ｂはＯ形の便座２８の外側縁に接触し、それら一対の弾性素材から成る保持腕４２ａ，４２ｂで便座２８を挟持する。なお、図４では、保持腕４２ａと垂れ部３０とを別体としたが、これらを一体に形成するようにしても良い。
【００１９】
【発明の第三実施形態】
次に、Ｕ形の便座に取付ける小水漏れ防止具について説明する。図５は小水漏れ防止具をＵ形の便座の先端に取り付けた状態を示す平面図、図６は図５のＢ−Ｂ線断面図である。Ｕ形の便座４４には、Ｕ形便座専用の小水漏れ防止具４６を用いる。この小水漏れ防止具４６は、図１乃至図３に示す小水漏れ防止具１０と同様に、小水受け部１２と垂れ部３０とガイド３４とを有する。この小水漏れ防止具４６が小水漏れ防止具１０と異なる点は、取付手段１４に代えて取付手段４８を備える点である。小水漏れ防止具４６においては、小水受け部１２の左右に一対の取付手段４８が備えられる。それぞれの取付手段４８は、一対の保持腕５０ａ，５０ｂを有し、それら一対の保持腕５０ａ，５０ｂを弾性のある素材（例えば弾性のある合成樹脂）で形成する。あるいは、一対の保持腕５０ａ，５０ｂを有する取付手段４８を小水受け部１２とは別体に構成してそれらを互いに固定状態にし、一対の保持腕５０ａ，５０ｂを有する取付手段４８の素材を弾性のある素材としても良い。一方の保持腕５０ａはＵ形の便座４４の自由先端付近の内側縁に接触し、他方の保持腕５０ｂはＵ形の便座４４の自由先端付近の外側縁に接触し、それら一対の保持腕５０ａ，５０ｂでＵ形の便座２８の自由先端付近を内側と外側とで挟持する。Ｕ形の便座２８のそれぞれの自由先端を取付手段４８で挟持することによって、小水漏れ防止具４６をＵ形の便座４４に取付けることができる。Ｕ形の便座４４にはカバーが掛けられることが一般的であるが、カバーの上から小水漏れ防止具４６を着脱することができる。なお、図６では、保持腕５０ａと垂れ部３０とを別体としたが、これらを一体にしても良い。
【００２０】
【発明の第四実施形態】
Ｕ形の便座に取付けるその他の小水漏れ防止具を、図７に基づいて説明する。図７に示す小水漏れ防止具５２は、図５並びに図６に示す小水漏れ防止具４６に使用する取付手段４８に代えて取付手段５４を使用するものである。図５並びに図６に示す小水漏れ防止具４６の取付手段４８は、小水受け部１２の左右側に備えられるものであり、Ｕ形の便座４４の自由先端同士を連結するものである。これに対し、図７に示す小水漏れ防止具５２は、小水受け部１２の下側に一対の保持腕５６ａ，５６ｂを備えるものであり、この一対の保持腕５６ａ，５６ｂは、便器本体２４の上縁付近の最前部（人が便器２２を前にして対向した際の手前側）を挟持するものである。この一対の保持腕５６ａ，５６ｂは、弾性のある素材から構成する。この小水漏れ防止具５２は便器本体２４において、Ｕ形の便座４４にぶつからない位置に取付けることで、Ｕ形の便座４４の上げ下ろしの邪魔にはならない。また、一対の保持腕５６ａ，５６ｂを弾性のある素材から構成するので、小水漏れ防止具５２を便器本体２４から着脱自在に取付けることができる。
【００２１】
【発明の第五実施形態】
Ｏ形の便座２８においても、Ｕ形の便座４４においても、それらの便座と小水受け部１２とを一体に形成するようにしても良い。図８は本発明に係る小水漏れ防止機能付洋式トイレ用便座の一実施形態を示す断面図である。小水漏れ防止機能付き洋式トイレ用便座５８は、従来既知の便座６０と小水受け部１２とを一体に形成したものである。従来既知の便座６０は、Ｏ形の便座２８であってもＵ形の便座４４であっても良い。小水受け部１２には垂れ部３０やガイド３４も備える。便座６０が便器本体２４に接触した状態では、垂れ部３０の先端は便器本体２４の上縁と同じ高さか、それより下位に位置するようにする。この実施形態においても、第一実施形態と同様の効果を得ることができる。
【００２２】
【発明の効果】
本発明に係る小水漏れ防止具並びに小水漏れ防止機能付洋式トイレ用便座によれば、便座に座って小用を足す場合に、便器本体から外れる小水を小水受け部や垂れ部に受けて便器本体に導くことができる。この結果、小水が便器本体から外部に漏れることを防止でき、従来と比べてより清潔な洋式トイレを利用者に提供することができる。また、便座に座って小用を足す場合に、体を前屈みにしなくても済む。
【図面の簡単な説明】
【図１】本発明の小水漏れ防止具を取付けた状態の洋式トイレ用便器を示す平面図である。
【図２】図１のＡ−Ａ線断面図である。
【図３】本発明の小水漏れ防止具の正面図である。
【図４】本発明に係る小水漏れ防止具の他の実施形態を示す断面図である。
【図５】本発明に係るその他の小水漏れ防止具をＵ形の便座に取り付けた状態を示す平面図である。
【図６】図５のＢ−Ｂ線断面図である。
【図７】本発明に係る更に他の小水漏れ防止具を便器本体に取り付けた状態を示す断面図である。
【図８】本発明に係る小水漏れ防止機能付き洋式トイレ用便座を示す断面図である。
【符号の説明】
１０  小水漏れ防止具
１２  小水受け部
１２ａ  開口部
１２ｃ  内部空間
１４  取付手段
１６  腕部
１８  係合穴
２０  係合部材
２２  洋式トイレ用便器
２４  便器本体
２８  便座
３０  垂れ部
３４  ガイド
３８  脱衣保持部
４０  取付手段
４２ａ  保持腕
４２ｂ  保持腕
４４  便座
４６  小水漏れ防止具
４８  取付手段
５０ａ  保持腕
５０ｂ  保持腕
５２  小水漏れ防止具
５４  取付手段
５６ａ  保持腕
５６ｂ  保持腕
５８  小水漏れ防止機能付き洋式トイレ用便座
６０  便座
【図１】
2004180898.tif 000003
【図２】
2004180898.tif 000004
【図３】
2004180898.tif 000005
【図４】
2004180898.tif 000006
【図５】
2004180898.tif 000007
【図６】
2004180898.tif 000008
【図７】
2004180898.tif 000009
【図８】
2004180898.tif 000010